(57)【要約】【課題】  マスクの隙間から入る微粒子が鼻から吸い込まれないようにする。【解決手段】  マスク本体１の内側面の一部に、屈曲調整可能な支持部材３の取付部３ａを固定させて取り付け、この支持部材３のマスク内側から屈曲させた保持部３ｂに、保持部３の屈曲によって鼻の下面に押し当てられるフィルター５をそなえている。マスク１を耳掛け紐２で顔面に装着したときに支持部材３を屈曲させて、フィルター５を鼻孔を塞ぐように保持部３ｂの曲げ角度を調整する。【選択図】        図１
0003110781.tif 000002
【実用新案登録請求の範囲】
【請求項１】
マスク本体の内側面に屈曲調整可能な支持部材を取り付け、この支持部材に支持部材を屈曲させて鼻孔に当てるフィルターをそなえたことを特徴とする花粉症予防マスク。
【請求項２】
マスク本体の内側面に屈曲調整可能な支持部材を取り付け、前記支持部材が、マスク本体に固定させる取付部と、フィルターを取り付けた保持部とをそなえており、前記フィルターを鼻孔に当てるように保持部を取付部に対して屈曲させることを特徴とする花粉症予防マスク。
【考案の詳細な説明】
【技術分野】
【０００１】
この考案は、花粉、ほこり、排気ガスなどの微粒子の吸入によって生じる花粉症を防ぐために使用するマスクにおいて、マスク本体の周辺と顔面との隙間から入る微粒子を吸入しないようにした花粉症予防マスクに関する。
【背景技術】
【０００２】
従来、一般的なマスクは、四角に折り畳んだガーゼや不織布などによって多層に形成したマスク本体の左右両側に耳掛け紐をそなえ、耳掛け紐によってマスク本体を顔面に沿って変形させ、鼻と口を覆うものが用いられている。しかし、マスク本体の周縁と顔面とが完全に密着せず、とくに鼻稜の両側に隙間を生じ、この隙間からマスク本体を通らずに花粉などを含む外気が吸い込まれ、マスクの効果が十分に得られない欠点があった。
このため、マスク本体の内面に、下縁を固定しないようにした布を重ねて縫い付け、マスクの装着時にこの布の下縁中央を持ち上げて波状にし、鼻の上に被せる鼻掛け部を設けて、隙間をなくすようにしたものが提案されている。（たとえば特許文献１、特許文献２参照）
また、鼻孔のみを塞ぐマスクとして、鼻の孔に合わせて穴を開けたシートに、この穴の部分を覆うフィルターを張り付け、このシートを鼻の下面に装着するものがある。（特許文献３、特許文献４参照）
なお、マスク本体を袋状のフィルターにし、フィルターを形成する袋からマスクの内側に突出する２個のチューブを設け、マスクを掛けた時にこのチューブを鼻の孔に装着することにより、鼻から吸い込む空気がすべてフィルターを通るようにしたものがある。（特許文献５参照）
【特許文献１】特開２０００−３２２号公報
【特許文献２】特開２００４−３２９８６９号公報
【特許文献３】特開平１１−３１９１３０号公報
【特許文献４】特開２００３−３０５１３５号公報
【特許文献５】特開２００４−３１３６６９号公報
【考案の開示】
【考案が解決しようとする課題】
【０００３】
このように、柔軟なガーゼやフィルターをそなえ、鼻と口を覆って花粉などの微粒子を吸い込まないようにしたマスクにおいて、鼻掛け部を設けて鼻の両側に生じる隙間を塞ぐようにしたものでは、マスク本体の構造が複雑になり、鼻の両側の隙間を塞いでも、マスク本体の材質が不織布などで硬めであったり、装着の仕方で顔の曲面になじまなかったりして、マスク下縁など他の箇所に生じる隙間から外気とともに微粒子が侵入することを完全に防ぐことができなかった。また、鼻孔だけにフィルターを張り付けるものは、呼吸によって脱落し易いとともに、外観の体裁も悪く、口から大量に入る微粒子を防止することができなかった。
また、マスク本体の内側にチューブを取り付けて鼻孔に挿入するものが提案されているが、鼻孔に異物を挿入するための違和感があり、チューブにより吸排気の通路が細くなり円滑な呼吸が妨げられる欠点がある。
【課題を解決するための手段】
【０００４】
本考案は、マスク本体の内側面の一部に、屈曲調整可能な支持部材を取り付け、この支持部材の屈曲させた保持部に設けられた通気部と、通気部を覆うフィルターとをそなえ、このフィルターを支持部材の屈曲により鼻の下面に押し当てるようにしており、マスクを掛けた時に保持部を鼻下面の角度に合わせて屈曲調整し、フィルターを鼻孔の開口部に確実に押し当てられるようにしたことを特徴にしている。
【０００５】
支持部材は、屈曲が容易な金属線や薄い金属板が好適であるが、屈曲できる合成樹脂製でもよい。なお、使用前は、全体が平面になり収納や携帯時にかさ張らないように、支持部材を曲げないでフィルターをマスク本体と重ねるように取り付けておき、使用時に折り曲げて鼻の角度に合わせるようにするが、あらかじめ適当な角度で曲げておいても良い。なお、フィルターは使い捨てでも良いが、着脱交換できるように支持部材に取り付けるようにしても良い。また、マスク本体は、ガーゼなどの柔軟なものでも、成型されて外側が固めなマスクであっても実施できる。
【考案の効果】
【０００６】
本考案によれば、マスクを掛ける時、または掛けた後に、屈曲可能な支持部材の保持部を各人の顔に合わせてフィルターが直接鼻孔の開口部を覆うように調整できるため、マスク本体と顔面との隙間から侵入する微粒子があっても鼻孔からの吸い込みを完全に防止できる効果があり、使用者によってマスク本体と鼻の角度が異なっていても支持部材の屈曲角度を調整して簡単確実にフィルターを鼻孔に押し当てることができ、フィルターは鼻孔内に挿入されないため違和感がなく、外部からはフィルターの装着が見えないので外観は通常のマスクと変わりがない。
【考案を実施するための最良の形態】
【０００７】
これを図に示す実施例について説明する。
１はマスク本体で、ガーゼ、不織布などの柔軟で通気性のある素材を重ねて縫い合わせている。２はマスク本体の両側に取り付けた耳掛け紐、３はマスク本体の顔に当てる内側面のほぼ中央部に取り付けた支持部材で、容易に屈曲できる金属線たとえば１ｍｍ程度の鉄線をＵ状にし、上半部を取付部３ａとして、マスク本体１に接着あるいは縫い付けなどによって取り付け、下半部の保持部３ｂに通気部４を形成させてフィルター５たとえば重ねたガーゼや繊維性の不織布を接着あるいは糸などによって取り付けている。
なお、鉄線はビニール被覆をしたものを用い、フィルター５は両方の鼻孔を塞ぐよう適宜の大きさの面積をそなえており、鼻の下面に合わせて３角形状にしてもよい。
【０００８】
使用に当たっては、折り曲げない状態でマスク本体１の内側に固定されている支持部材３の保持部３ｂをフィルター５とともに指で引き起こし、図３のように、保持部３ｂに取り付けたフィルター５が鼻の下面に押し当てられるように装着する。支持部材３は容易に屈曲するので、装着した後でもフィルター５と鼻との接触具合を調整できる。
なお、あらかじめ、支持部材３が折り曲げられている場合も、装着した後で保持部３ｂの曲げ角度を調整すればよい。
【０００９】
図４は支持部材３の別の形態を示す実施例で、屈曲可能な薄い金属板を用いて保持部３ｂに通気部４を設けている。保持部３ｂは一点鎖線で示すように角形や、楕円形など任意の形状にすることができる。
図５は、支持部材３のさらに別の実施例で、屈曲できる金属線をＺ状に折り曲げて、取付部３ａと保持部３ｂを形成している。
このように、支持部材３の材質や形状はこの実施例に示したものに限定されるものではないが、屈曲が可能で、鼻に押し当てた状態を保持できるような剛性を有するものが好ましい。
なお、図の実施例では支持部材３をマスク本体に、取付部３ａを上にして取り付けているが、取付部を下側にして取り付けることもできる。
【図面の簡単な説明】
【００１０】
【図１】本考案の実施例を示すマスクの内側の正面図である。
【図２】図１の中央部分の断面図である。
【図３】本考案のマスクを装着した状態を示す説明図である。
【図４】支持部材の他の例を示す平面図である。
【図５】支持部材の別の例を示す平面図である。
【符号の説明】
【００１１】
１  マスク本体
２  耳掛け紐
３  支持部材
３ａ  取付部
３ｂ  保持部
４  通気部
５  フィルター
【図１】
0003110781.tif 000003
【図２】
0003110781.tif 000004
【図３】
0003110781.tif 000005
【図４】
0003110781.tif 000006
【図５】
0003110781.tif 000007